(57)【要約】【課題】  降圧チョッパ動作を確実に始動することを可能とする。【解決手段】  実施形態の電源装置は、昇圧チョッパ回路、ブートストラップ回路が設けられる降圧チョッパ回路及び制御回路を備える。ブートストラップ回路は、オン時にブートストラップ回路からの出力電圧を印加させスイッチング素子の出力端を昇圧させる第１のスイッチと、オン時にブートストラップ回路からの出力電圧をグランドに与える第２スイッチとを備える。制御回路は、第１のスイッチをスイッチング素子の始動時にオンさせ、始動後にオフに切替、第２のスイッチを前記スイッチング素子の始動時にオフさせ、始動後にオンする切替制御を行う。【選択図】図１
2018057100.tif 000002
【特許請求の範囲】
【請求項１】
整流された直流電力を出力する直流電源部と；
前記直流電源部の出力端に入力端が接続され、制御端に入力する信号でオン・オフする少なくとも１つのスイッチング素子と；
前記スイッチング素子の出力端に直列に一端が接続されるインダクタと；
前記インダクタの他端に接続され、負荷に供給する電圧を平滑するキャパシタと；
前記キャパシタの低電位側にアノードが接続し、前記スイッチング素子の前記出力端に接続して、前記インダクタのエネルギーを還流するダイオードと；
前記スイッチング素子の前記制御端に供給する電圧を生成するブートストラップ回路と；
前記ブートストラップ回路の出力端に一端が接続され、他端が前記スイッチング素子の前記出力端に接続される第１のスイッチと；
前記ブートストラップ回路の前記出力端に一端が接続され、他端がグランドに接続され、オン時に前記ブートストラップ回路の前記出力端を前記グランドと接続する第２のスイッチと；
前記スイッチング素子の始動前に前記第１のスイッチをオフし、前記２のスイッチをオンにして、前記スイッチング素子の始動時に前記第１のスイッチをオンし、前記第２のスイッチをオフする切替制御を行う制御回路と；
を具備する電源装置。
【請求項２】
前記スイッチング素子は、ｎ-ｃｈ型電界効果トランジスタであり、前記ブートストラップ回路は、該ｎ-ｃｈ型電界効果トランジスタのゲートに供給する電圧を生成する請求項１に記載の電源装置。
【請求項３】
前記負荷は固体光源であり、該固体光源を駆動させる請求項１又は２に記載の前記電源装置を搭載する照明装置。
【発明の詳細な説明】
【技術分野】
【０００１】
本発明の実施形態は、電源装置及びこの電源装置を備えた照明装置に関する。
【背景技術】
【０００２】
一般に、照明装置等に用いられ、高調波改善と定電流特性を実現する電源装置として、力率改善（ＰＦＣ：power factor correction）回路である昇圧チョッパ回路と降圧チョッパ回路を備える構成が知られてる。電源装置として例えば、固体光源であるＬＥＤを負荷とする照明用点灯装置では、商用交流入力電圧を全波整流し、この整流電圧を昇圧チョッパ回路にて昇圧するとともに力率を改善し、昇圧チョッパ回路の出力電圧（ＶＤＣ）を降圧チョッパ回路を用いて定電流制御する構成が広く使用されている。
【０００３】
電源装置の始動は、まず昇圧チョッパ回路の動作を開始し、その後に降圧チョッパ回路の動作を開始する。降圧チョッパ回路は、昇圧チョッパ回路から得られる電圧を用いて、スイッチング素子を制御するための電圧を生成する。このため、スイッチング素子を確実に動作させるのに十分な電圧が得られない場合がある。この対策として、n-chＦＥＴを用いたスイッチング素子であれば、ソース側にブートストラップ回路を接続する構成がある。
【先行技術文献】
【特許文献】
【０００４】
【特許文献１】特開２０１６−１１０８７４号公報
【発明の概要】
【発明が解決しようとする課題】
【０００５】
前述したブートストラップ回路を備える電源装置として、例えば、特許文献１には、スイッチング素子に常時、接続されて駆動する駆動電圧を生成するブートストラップ回路と、ブートストラップ回路へ通常時に電源を供給する電源回路と、非常時に電源を供給する電源回路とを備える駆動回路が提案されている。
【０００６】
特許文献１のような構成においては、ＰＦＣ回路からの出力電圧からドロッパを構成してブートストラップ回路の電源に使用しているが、高電位から抵抗を介して電力を得る構成であるため、電力の損失が大きい。このため、負荷をＬＥＤ光源とした場合には、ＬＥＤ光源の順方向電圧Ｖｆによっては、不要な点灯を生じ、装着検出用に抵抗を持つ負荷の場合は、装着検出のための電圧が正常に読み取れなくなる虞がある。
【０００７】
そこで、損失が少なく、負荷の状態に影響を及ぼさずに、ハイサイド側のスイッチ素子の駆動電源を得る電源装置及びこの電源装置を備えた照明装置を提供することを目的とする。
【課題を解決するための手段】
【０００８】
上記目的を達成するために、本発明に従う実施形態の電源装置は、整流された直流電力を出力する直流電源部と；前記直流電源部の出力端に入力端が接続され、制御端に入力する信号でオン・オフする少なくとも１つのスイッチング素子と；前記スイッチング素子の出力端に直列に一端が接続されるインダクタと；前記インダクタの他端に接続され、負荷に供給する電圧を平滑するキャパシタと；前記キャパシタの低電位側にアノードが接続し、前記スイッチング素子の前記出力端に接続して、前記インダクタのエネルギーを還流するダイオードと；前記スイッチング素子の前記制御端に供給する電圧を生成するブートストラップ回路と；前記ブートストラップ回路の出力端に一端が接続され、他端が前記スイッチング素子の前記出力端に接続される第１のスイッチと；前記ブートストラップ回路の前記出力端に一端が接続され、他端がグランドに接続され、オン時に前記ブートストラップ回路の前記出力端を前記グランドと接続する第２のスイッチと；前記スイッチング素子の始動前に前記第１のスイッチをオフし、前記２のスイッチをオンにして、前記スイッチング素子の始動時に前記第１のスイッチをオンし、前記第２のスイッチをオフする切替制御を行う制御回路と；を具備する。
【発明の効果】
【０００９】
実施形態によれば、損失が少なく、負荷の状態に影響を及ぼさずに、ハイサイド側のスイッチ素子の駆動電源を得る電源装置及びその電源装置を備えた照明装置を提供できる。
【図面の簡単な説明】
【００１０】
【図１】図１は、実施形態に係るブートストラップ回路を降圧チョッパ回路に搭載した概念的な構成を示す図である。
【図２】図２は、実施形態に係るブートストラップ回路を照明装置の電源回路に搭載した一構成例を示す図である。
【発明を実施するための形態】
【００１１】
以下、図面を参照して、実施形態について詳細に説明する。  
図１は、実施形態に係るブートストラップ回路を降圧チョッパ回路に搭載した概念的な構成を示す図である。  
降圧チョッパ回路３０は、n-chＦＥＴ（ｎチャンネル型電界効果トランジスタ）からなるスイッチング素子Ｑ３１と、このスイッチング素子Ｑ３１の出力端（ソース）と直列に入力端側が接続されるコイル（インダクタ）Ｌ３１と、コイルＬ３１の出力端とグランドライン（低電位側）間に接続されるキャパシタ（平滑キャパシタ）Ｃ３１と、キャパシタＣ３１の低電位側にアノードが接続され、カソードがスイッチング素子Ｑ３１の出力端に接続されて、コイルＬ３１のエネルギーを還流するダイオードＤ３１と、で構成される。キャパシタＣ３１の両端には、ＬＥＤ等の固体光源の光源ユニット１が接続されている。
【００１２】
この降圧チョッパ回路３０は、スイッチング素子Ｑ３１であるＦＥＴのドレインをＶＤＣに供給し、ハイサイド側にスイッチング素子Ｑ３１を配置する構成を用いている。このような構成により、出力側にＶＤＣが直接、出力されないようにしている。ハイサイド側のスイッチング素子Ｑ３１（ＦＥＴ）を駆動する場合には、スイッチング素子Ｑ３１のソース電位が必ずしもグランド電位とは一致しないため、ソース電位を基準とした電源を要するが、降圧チョッパ回路３０の場合には、出力電圧の状態によって基準電位が変動するため、ＦＥＴの駆動電源を得る必要がある。
【００１３】
そこで、本実施形態では、降圧チョッパ回路３０のスイッチング素子Ｑ３１の出力端電位（ソース電位）を昇圧する、キャパシタＣ３２と、ダイオードＤ３３で構成されるブートストラップ回路５０に、２つのスイッチＳ３１、Ｓ３２が設けられている。尚、スイッチＳ３１、Ｓ３２を含むブートストラップ回路５０としてもよい。
【００１４】
このブートストラップ回路５０において、ダイオードＤ３３のアノードには、後述するＶｃｃ電圧を出力する電源が接続され、カソードにはキャパシタＣ３２の一端（入力端）が接続される。ダイオードＤ３３とキャパシタＣ３２は、直列接続される。ダイオードＤ３３は、カソードがキャパシタＣ３２に接続することで、充電したキャパシタＣ３２から電源側（Ｖｃｃ側）に逆電流が流れないように阻止する。このキャパシタＣ３２の他端（出力端）は、スイッチＳ３１［第１のスイッチ］を介して、スイッチング素子Ｑ３１の出力端に接続され、さらに、スイッチＳ３２［第２のスイッチ］を介して、グランドラインにも接続される。これらのスイッチＳ３１、Ｓ３２は、後述する制御回路４０等によって切替制御される。
【００１５】
電源装置の始動時（後述する点灯開始時）に、キャパシタＣ３１の電位が不定であることを考慮し、まず、スイッチＳ３１をオフし、スイッチＳ３２をオンすることで、スイッチング素子Ｑ３１のソースと切り離し、キャパシタＣ３２の出力側がグランド電位に接続されて、キャパシタＣ３２が充電される。次に、スイッチＳ３１をオンし、スイッチＳ３２をオフすることでブートストラップ回路５０の基準電位Ｖｓを基準にＶＢの電圧を用いてスイッチング素子Ｑ３１の制御端子に入力する端子ＨＯから出力する電圧を生成する。以後、基準電位Ｖｓを基準とした駆動電圧がブートストラップ回路５０より得られる。
【００１６】
従って本実施形態では、この２つのスイッチをブートストラップ回路５０に組み合わせて、切替制御することで、電源損失が少なく、負荷（光源ユニット）の状態に影響を及ぼさずに、スイッチング素子Ｑ３１のハイサイド側に駆動させるための電源を供給することができる。  
降圧チョッパ回路３０が駆動している際に、出力電圧の状態によって基準電位が変動しても、ブートストラップ回路５０の電圧がスイッチング素子Ｑ３１に入力してソース電位が昇圧され、スイッチング素子Ｑ３１の安定した駆動を得ることができる。
【００１７】
次に、前述した実施形態のブートストラップ回路を照明装置駆動用の電源装置に搭載した構成例について説明する。図２は、実施形態に係るブートストラップ回路を照明装置の電源装置に搭載した一構成例を示す図である。尚、図２は、本実施形態のブートストラップ回路を搭載するに必要となる回路を記載しており、実際の電源装置が備える要素の一部の図示は省略している。
【００１８】
照明装置１００は、光源ユニット１及び電源装置３を備える。光源ユニット１は、照明装置１００の本体に対して、交換を可能とするため着脱自在である。電源装置３は、照明装置本体内に固定的に備えられている。
【００１９】
光源ユニット１は、光源となる少なくとも１つの固体光源である発光ダイオード（ＬＥＤ：light emitting diode）Ｄ１１と抵抗器Ｒ１１とを備え、これらは直列に接続されている。発光ダイオードの数は、求められる明るさより、設定される。抵抗器Ｒ１１は、発光ダイオードＤ１１の直列回路における電流出力端であるカソードに接続されている。尚、図１では、１列の発光ダイオードＤ１１の直列回路を示しているが、複数並列の構成であってもよい。
【００２０】
発光ダイオードＤ１１及び抵抗器Ｒ１１による直列回路における電流入力端及び電流出力端には、電源装置３と着脱可能に接続するための端子Ｔ１１，Ｔ１２が設けられている。また、発光ダイオードＤ１１のカソードと抵抗器Ｒ１１の間には、端子Ｔ１３が設けられている。尚、本実施形態では、固体光源に発光ダイオードを例としているが、限定されるものではなく、例えば有機ＥＬ（electroluminescence）等の他の光源であってもよい。
【００２１】
電源装置３は、商用電源等の外部電源２００からの電力供給を受けて、発光ダイオードＤ１１を発光させるために光源ユニット１に供給する電力を生成する。  
電源装置３は、大別して、整流回路１０、力率改善［ＰＦＣ（power factor correction）］回路２０、降圧チョッパ回路３０及び制御回路４０で構成される。他にも、図２に示すように、複数のキャパシタ、複数の抵抗器及び、複数のダイオードを含んでおり、それぞれは本実施形態に関わる一部のみを示している。
【００２２】
整流回路１０（直流電源部）は、例えば、ブリッジ型整流回路で構成され、一対の入力端子Ｔ２１，Ｔ２２には、商用電源等の外部電源２００が供給され、交流電力を直流電力に整流して出力する。キャパシタ（平滑キャパシタ）Ｃ１は、一端を整流回路１０の出力端に接続し、他端をグランド（接地電位）に接続している。整流回路１０の出力端から出力された直流電力は、キャパシタＣ１により平滑化され、ＰＦＣ回路２０へ供給される。
【００２３】
また、抵抗器Ｒ２，Ｒ３は、直列接続されて、整流回路１０の出力端とグランドとの間に設けられている。これらの抵抗器Ｒ２，Ｒ３は、ＰＦＣ回路２０へ供給される出力電圧を抵抗比により分圧し、分圧された電圧は、制御回路４０のＭＵＬＴ端子に入力される。
【００２４】
ＰＦＣ回路２０は、供給された直流電力を力率改善のために昇圧する昇圧チョッパ回路である。このＰＦＣ回路２０は、少なくともコイル２１、ダイオードＤ２０、スイッチング素子Ｑ２１、電解キャパシタＣ２１及び抵抗器Ｒ２１を含み構成される。
【００２５】
ダイオードＤ２０のカソードは、電解キャパシタＣ２１の一端と接続され、ＰＦＣ回路２０の出力端となっている。電解キャパシタＣ２１の他端は、グランド電位に接続されている。ＰＦＣ回路２０の出力は、ダイオードＤ２０のカソード電位とグランド電位との電位差が出力電圧ＶＤＣとなる。出力電圧ＶＤＣは、降圧チョッパ回路３０に供給されるとともに、制御回路４０のＶＤＣ端子に供給される。
【００２６】
本実施形態のスイッチング素子Ｑ２１は、ＦＥＴを用いており、そのソースは、制御回路４０のＣＳ端子及び、抵抗器Ｒ２１を介してグランド電位にそれぞれ接続される。また、スイッチング素子Ｑ２１のゲートは、制御回路４０のＧＤ端子に接続されている。ＰＦＣ回路２０は、制御回路４０の制御によりスイッチング素子Ｑ２１をオン／オフすることで自励発振制御を行う。スイッチング素子Ｑ２１をオン／オフするスイッチング信号は、例えば４０〜５０ｋＨｚ程度の高周波信号である。
【００２７】
また、抵抗器Ｒ４，Ｒ５は、直列接続されて、ＰＦＣ回路２０の出力端とグランドとの間に設けられている。これらの抵抗器Ｒ４，Ｒ５は、降圧チョッパ回路３０へ供給される出力電圧を抵抗比により分圧し、分圧された電圧は、制御回路４０のＶＦＢ端子に入力される。
【００２８】
降圧チョッパ回路３０は、少なくともスイッチング素子Ｑ３１、コイルＬ３１、ダイオードＤ３１及びキャパシタＣ３１を含み、さらに本実施形態のブートストラップ回路５０が組み入れられている。降圧チョッパ回路３０は、スイッチング素子Ｑ３１であるＦＥＴのドレインにＶＤＣを供給し、ハイサイド側に、n-chＦＥＴからなるスイッチング素子Ｑ３１を配置する構成を用いている。尚、ダイオードＤ３１に接続されるコイルＬ３２はフィルタとして用いているが必須ではない。
【００２９】
スイッチング素子Ｑ３１のドレインは、ＰＦＣ回路２０の出力端となるキャパシタ２１の一端に接続されている。このスイッチング素子Ｑ３１のドレインが、降圧チョッパ回路３０の入力端に相当する。また、スイッチング素子Ｑ３１におけるゲートは、制御回路４０のＨＯ端子に接続され、出力端であるソースは、コイルＬ３１の一端に接続されている。コイルＬ３１の他端は、降圧チョッパ回路３０の出力端子３１に接続されている。
【００３０】
また、スイッチング素子Ｑ３１のソースは、コイルＬ３２とダイオードＤ３１との直列回路を介してグランド電位に接続されている。ダイオードＤ３１のアノードがグランド電位に接続される。尚、抵抗器Ｒ３１は、発光ダイオードＤ１１を流れる電流の検出用であり、キャパシタＣ３１と抵抗器Ｒ３１との接続点に当該電流に応じた大きさの電位を生じさせる。キャパシタＣ３１と抵抗器Ｒ３１との接続点は、抵抗器Ｒ６を介して制御回路４０のＯＣＰ端子に接続されている。
【００３１】
また、コイルＬ３１とキャパシタＣ３１との接続点は、降圧チョッパの出力端に相当する。この接続点は、光源ユニットの端子Ｔ１１に接触する端子Ｔ３１に接続されている。  
抵抗器Ｒ３２は、光源ユニットの端子Ｔ１２，Ｔ１３にそれぞれ接触する端子Ｔ３２，Ｔ３３に両端がそれぞれ接続されている。抵抗器Ｒ３２と端子Ｔ３２との接続点は、制御回路４０のＯＰ−端子に接続されている。端子Ｔ３３は、抵抗器Ｒ３１を介してグランド電位に接続されている。
【００３２】
ブートストラップ回路５０は、キャパシタＣ３２と、ダイオードＤ３３で構成される。ダイオードＤ３３は、アノードを制御回路４０のＶｃｃ端子に接続し、カソードをＶＢ端子にそれぞれ接続している。ダイオードＤ３３は、制御回路４０のＶｃｃ端子から出力される電流をＶＢ端子に入力させるべく通過させる。また、ダイオードＤ３３は、ＶＳ端子に対して逆流を阻止する。  
キャパシタＣ３２は、制御回路４０のＶＳ端子とＶＢ端子とにそれぞれ接続されている。
【００３３】
このブートストラップ回路５０において、キャパシタＣ３２の他端（出力端）は、スイッチＳ３１を介して、スイッチング素子Ｑ３１の出力端に接続されると共に、スイッチＳ３２を介して、グランドラインに接続される。これらのスイッチＳ３１、Ｓ３２は、制御回路４０によって、個々にオン・オフを切り替える切替制御が行われる。このブートストラップ回路５０は、２つのスイッチＳ３１、Ｓ３２とともに照明装置１００の制御回路４０内に組み入れた構成も可能である。尚、ブートストラップ回路５０は、降圧チョッパ起動後は任意の電源でブートストラップを継続動作させる。
【００３４】
制御回路４０は、全ての要素（構成部位）を、集積回路（ＩＣ：integrated circuit）として実装してもよいし、その要素の一部をＩＣ外に実装してもよい。すべての要素をアナログ回路で構成してもよい。さらに、制御回路４０に含まれる各回路で行われる処理の一部、例えば、動作シーケンス等を、コンピュータを用いたソフトウェア処理により実現することもできる。
【００３５】
制御回路４０が備える各端子について説明する。  
図１に示す制御回路４０に記載される端子は、ＭＵＬＴ端子、ＣＳ端子、ＶＳ端子、ＶＢ端子、ＧＤ端子、ＶＦＢ端子、ＶＤＣ端子、ＯＣＰ端子及び、ＯＰ−端子である。勿論、これらの端子に限定されるものではなく、他にも複数の端子を備えているが、本実施形態に関わるものについて説明している。
【００３６】
ＭＵＬＴ端子は、ＰＦＣ回路２０への入力電圧を監視するための端子である。  
ＣＳ端子の電位は、スイッチング素子Ｑ２１のドレイン−ソース間に流れる電流に応じて変化する。つまりＣＳ端子は、上記電流の大きさを監視するための端子である。  
ＶＳ端子の電位は、ＨＯ端子、ＶＢ端子の基準電位を定めるための端子である。また、ＶＳ端子は、ブートストラップ回路５０のキャパシタＣ３２とスイッチＳ３１との間に接続される。
【００３７】
。
ＶＢ端子は、ブートストラップ回路５０のキャパシタＣ３２とダイオードＤ３３のカソード間に接続される。なお、Ｖｃｃ端子から供給される電圧は、例えば降圧チョッパ回路３０のコイルＬ３１と磁気結合された図示しないコイル等で発生した電圧を元に供給される。
【００３８】
ＶＦＢ端子は、ＰＦＣ回路２０の出力の電圧ＶＤＣに応じた電位となる。つまりＶＦ端子は、電圧ＶＤＣの大きさを監視するための端子である。  
ＶＤＣ端子は、電圧ＶＤＣを制御回路４０の動作電圧として取り込むための端子である。  
ＯＣＰ端子の電位は、抵抗器Ｒ３１に流れる電流に応じた電位となる。抵抗器Ｒ３１に流れる電流は、発光ダイオードＤ１１を流れた電流である。つまりＯＣＰ端子は、発光ダイオードＤ１１に供給された電流の大きさを監視するための端子であり、本実施形態では過電流保護のために使用する。
【００３９】
ＯＰ−端子の電位は、発光ダイオードＤ１１に流れる電流と抵抗器Ｒ１１に基づく電圧降下に相当する電圧であり、端子Ｔ１２、Ｔ１３間に発生する電位差となる。発光ダイオードＤ１１の負荷に応じて抵抗器Ｒ１１の抵抗値の大きさが設定され、すなわち流すべき電流値に応じて設定されており、ＯＰ−の値が予め設定された目標値に一致するように電源装置３の出力電流がフィードバック制御される。なお、光源ユニット１の端子Ｔ１２が端子Ｔ３２と接触していない場合には、ＯＰ−端子には検出電圧が入力されなくなる。また、ＯＰ−の値が一定時間目標値に一致しない場合は電源装置３の異常が推定される。そこで、本実施形態では、ＯＰ−端子は、光源ユニット１が正常に装着されているか否か、並びに、電源装置３の異常を監視するための端子としても利用する。
【００４０】
次に以上のように構成されたブートストラップ回路５０を搭載する照明装置１００の始動動作について説明する。  
照明装置１００が始動前（点灯開始前）は、スイッチング素子Ｑ２１及びスイッチング素子Ｑ３１は、いずれもオフ状態である。始動前は、ブートストラップ回路５０のスイッチＳ３１、Ｓ３２をオフ状態に設定されている。または、スイッチＳ３１がオフ状態に設定され、スイッチＳ３２がオン状態に設定されている。
【００４１】
まず、照明装置１００の図示しない電源スイッチがオン操作されると、整流回路１０に交流電力が供給され、整流動作を開始する。整流回路１０及びキャパシタＣ１により得られた直流電力がＰＦＣ回路２０へ供給される。ＰＦＣ回路２０から直流電力の電圧ＶＤＣが制御回路４０に供給されると、制御回路４０が始動する。制御回路４０は、スイッチＳ３１のオフ状態を維持し、スイッチＳ３２をオンする。尚、始動前に、スイッチＳ３１がオフ状態、スイッチＳ３２がオン状態に設定されていた場合には、切替操作なしで、これらの状態を維持する。
【００４２】
この切替操作により、ブートストラップ回路５０の出力端と、スイッチング素子Ｑ３１のソースと電気的に切り離されており、キャパシタＣ３２の出力側がグランド電位に接続されて、キャパシタＣ３２が充電される。スイッチＳ３１をオンし、スイッチＳ３２をオフすることで電位Ｖｓを基準とした駆動電圧がブートストラップ回路５０より得られ、定常的な動作状態となる。
【００４３】
この定常的な動作状態は、光源ユニットが点灯した状態であり、ＰＦＣ回路２０が位相補償を行いつつ、電圧ＶＤＣを予め定められた目標電圧とするように昇圧チョッピングする。制御回路４０は、ＰＦＣ回路２０へと供給される電圧、電圧ＶＤＣおよびその目標値との差、スイッチング素子Ｑ２１を流れる電流に応じて設定される電流の上限値、一次コイルＬ２１を流れる電流がゼロになったタイミング等により、スイッチング素子Ｑ２１を駆動するスイッチング信号を調整することにより、周知の自励発振方式による昇圧チョッピングの制御を行う。  
本実施形態によれば、電源装置３のＰＦＣ回路２０は、直流電力を力率改善して出力することができる。
【００４４】
上述した実施形態は、一例として提示したものであり、発明の範囲を限定するものではなく、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１…光源ユニット、３…電源装置、１０…整流回路、２０…ＰＦＣ回路、２１…キャパシタ、３０…降圧チョッパ回路、３１…出力端子、４０…制御回路、５０…ブートストラップ回路、１００…照明装置、２００…外部電源、Ｃ１、Ｃ３１、Ｃ３２…キャパシタ、Ｃ２１…電解キャパシタ、Ｄ１１…発光ダイオード、Ｄ２０、Ｄ３１、Ｄ３３…ダイオード、Ｌ２１、Ｌ３１、Ｌ３２…コイル、Ｑ２１、Ｑ３１…スイッチング素子、Ｒ２、Ｒ４、Ｒ６、Ｒ１１、Ｒ２１、Ｒ３１、Ｒ３２…抵抗器、Ｓ３１、Ｓ３２…スイッチ、Ｔ１１、Ｔ１２、Ｔ１３、Ｔ３１、Ｔ３２、Ｔ３３…端子。
【図１】
2018057100.tif 000003
【図２】
2018057100.tif 000004